(57)【要約】【課題】電線をサイドカバーの電線固定片にテープ巻き固定する作業を容易に行うことができる電気接続箱を提供する。【解決手段】電気接続箱１は、ボルト３が取り付けられるケース本体２と、一端部にボルト挿通部４１が設けられ、他端部に電線接続部が設けられ、中央部に直角に曲げられた屈曲部が設けられた端子４と、電線接続部に接続された２本の電線１１と、端子４を取り付けたサイドカバー５と、を備えている。また、サイドカバー５がケース本体２の一側面２ｃに装着されることによりボルト挿通部４１にボルト３が通される。サイドカバー５には、一方の電線１１に沿う断面円弧状の電線固定片５３が設けられている。２本の電線１１は、電線固定片５３と共にテープ巻きされて電線固定片５３に固定される。【選択図】図３
2014108040.tif 000002
【特許請求の範囲】
【請求項１】
ボルトが取り付けられるケース本体と、一端部にボルト挿通部が設けられ他端部に電線接続部が設けられた端子と、前記電線接続部に接続された電線と、前記端子を取り付けたサイドカバーと、を備え、前記サイドカバーが前記ケース本体の側面に装着されることにより前記ボルト挿通部に前記ボルトが通される電気接続箱において、
前記サイドカバーに前記電線に沿う電線固定片が設けられ、
前記電線固定片の断面形状は、当該電線固定片の両端部を結ぶ直線に対して前記ボルト挿通部と反対側に前記電線を収容する空間を有する形状である
ことを特徴とする電気接続箱。
【請求項２】
第１の電線を２本用いた場合、前記電線固定片が一方の前記第１の電線の外周面に接し、
前記第１の電線よりも大径の第２の電線を１本用いた場合、前記電線固定片の両端部のみが前記第２の電線の外周面に当たり、
前記第１の電線及び前記第２の電線のいずれの電線を用いた場合でも、前記電線固定片から前記ボルト挿通部までの距離は、前記ボルト挿通部に前記ボルトが通される位置に保たれる
ことを特徴とする請求項１に記載の電気接続箱。
【発明の詳細な説明】
【技術分野】
【０００１】
本発明は、自動車に搭載される電気接続箱に関するものである。
【背景技術】
【０００２】
自動車には電気接続箱が搭載されている。電気接続箱は様々な構造のものがあるが、例えば、図１２，１３に示すサイドカバー３０５を有する構造のものがある（特許文献１を参照。）。このサイドカバー３０５は、端子４を取り付けた状態でケース本体の一側面に装着されるものである。
【０００３】
上記端子４は、一端部にボルト挿通部４１が設けられ、他端部に電線接続部４３が設けられ、中央部に直角に曲げられた屈曲部４２が設けられている。電線接続部４３は、屈曲部４２から延びた板部４４と、板部４４の両縁から立設した一対の芯線かしめ片４６と、板部４４の両縁から立設した一対の絶縁外皮かしめ片４５と、で構成されている。
【０００４】
上記電線接続部４３には、図１２，１３に示す２本の電線１１、又は、これら２本の電線１１よりも大径の電線１２（図１５を参照。）１本が接続される。電線１２の導体断面積は、電線１１の導体断面積の２倍である。また、２本の電線１１が接続される場合は、一方の電線１１が板部４４に重ねられ、他方の電線１１が一方の電線１１に重ねられるとともに板部４４と非接触の状態で、一対の芯線かしめ片４６及び一対の絶縁外皮かしめ片４５にかしめられる。
【０００５】
上記サイドカバー３０５は、合成樹脂で構成されている。サイドカバー３０５には、上記ケース本体の一側面に設けられた切り欠きを塞ぐカバー本体５０と、端子４の屈曲部４２を支持するフック５１と、カバー本体５０の下端から平板状に延設され、電線接続部４３に接続された電線１１に沿う電線固定片３５３と、が設けられている。
【０００６】
上記電線固定片３５３は、図１３に示すように、板部４４から離れた側の電線１１に沿う。また、２本の電線１１は、電線固定片３５３と共にテープ巻きされて電線固定片３５３に固定される。図１２中の符号１３は前記テープである。また、図１３においてはテープ１３の図示を省略している。
【０００７】
上記サイドカバー３０５を有する電気接続箱においては、端子４を取り付けたサイドカバー３０５がケース本体の一側面に装着される際に、端子４のボルト挿通部４１にボルトの軸部が通される。そして、軸部にナットが螺合されることにより、端子４がケース本体に固定される。
【先行技術文献】
【特許文献】
【０００８】
【特許文献１】特開平６−３１０１９８号公報
【発明の概要】
【発明が解決しようとする課題】
【０００９】
しかしながら、上記サイドカバー３０５を有する電気接続箱においては、以下に示す様々な問題があった。この問題を図１４，１５を参照しながら説明する。
【００１０】
まず、第１の問題を説明する。サイドカバー３０５の電線固定片３５３は、上述したように平板状に形成されていた。このため、図１４に示すように、２本の電線１１を電線固定片３５３にテープ巻き固定する際、電線１１が安定せずにずれてしまい、作業性が悪いという問題があった。また、図１５に示すように、１本の電線１２を電線固定片３５３にテープ巻き固定する際、電線１２と電線固定片３５３との間に隙間が生じることから、電線１２が安定せずにずれてしまい、作業性が悪いという問題があった。
【００１１】
次に、第２の問題を説明する。上記電気接続箱は、サイドカバー３０５がケース本体の一側面に装着される際に、端子４のボルト挿通部４１にボルトの軸部が通される。この際、電線固定片３５３からボルト挿通部４１までの距離が電線固定片３５３からボルトの軸部までの距離と一致していれば、サイドカバー３０５をケース本体の一側面に装着する動作によってボルトの軸部がボルト挿通部４１に通される。２本の電線１１を用いた図１４の場合は、電線固定片３５３からボルト挿通部４１までの距離が距離Ｇ１であり、電線固定片３５３からボルトの軸部までの距離と一致しているので、サイドカバー３０５の装着によりボルトの軸部がボルト挿通部４１に通される。しかしながら、１本の電線１２を用いた図１５の場合は、電線固定片３５３からボルト挿通部４１までの距離が、電線固定片３５３からボルトの軸部までの距離よりも短い距離Ｇ２であるので、サイドカバー３０５をケース本体の一側面に装着した際に、ボルトの軸部をボルト挿通部４１に通すことができないという問題があった。
【００１２】
したがって、本発明は、電線をサイドカバーの電線固定片にテープ巻き固定する作業を容易に行うことができる電気接続箱を提供することを第１の目的とし、電線をサイドカバーの電線固定片にテープ巻き固定する作業を容易に行うことができ、かつ、外径が異なる２種類の電線のうちいずれの電線を用いた場合でもボルト挿通部にボルトの軸部を通す作業を容易に行うことができる電気接続箱を提供することを第２の目的とする。
【課題を解決するための手段】
【００１３】
請求項１に記載された発明は、上記第１の目的を達成するために、ボルトが取り付けられるケース本体と、一端部にボルト挿通部が設けられ他端部に電線接続部が設けられた端子と、前記電線接続部に接続された電線と、前記端子を取り付けたサイドカバーと、を備え、前記サイドカバーが前記ケース本体の側面に装着されることにより前記ボルト挿通部に前記ボルトが通される電気接続箱において、前記サイドカバーに前記電線に沿う電線固定片が設けられ、前記電線固定片の断面形状は、当該電線固定片の両端部を結ぶ直線に対して前記ボルト挿通部と反対側に前記電線を収容する空間を有する形状であることを特徴とする電気接続箱である。
【００１４】
請求項２に記載された発明は、請求項１に記載された発明において、上記第２の目的を達成するために、第１の電線を２本用いた場合、前記電線固定片が一方の前記第１の電線の外周面に接し、前記第１の電線よりも大径の第２の電線を１本用いた場合、前記電線固定片の両端部のみが前記第２の電線の外周面に当たり、前記第１の電線及び前記第２の電線のいずれの電線を用いた場合でも、前記電線固定片から前記ボルト挿通部までの距離は、前記ボルト挿通部に前記ボルトが通される位置に保たれることを特徴とするものである。
【発明の効果】
【００１５】
請求項１に記載された発明によれば、電線固定片の断面形状は、当該電線固定片の両端部を結ぶ直線に対して前記ボルト挿通部と反対側に前記電線を収容する空間を有する形状であるので、電線固定片を電線に沿わせた状態で該電線が安定してずれにくい。よって、電線をサイドカバーの電線固定片にテープ巻き固定する作業を容易に行うことができる電気接続箱を提供することができる。
【００１６】
請求項２に記載された発明によれば、第１の電線を２本用いた場合、前記電線固定片が一方の前記第１の電線の外周面に接し、前記第１の電線よりも大径の第２の電線を１本用いた場合、前記電線固定片の両端部のみが前記第２の電線の外周面に当たり、前記第１の電線及び前記第２の電線のいずれの電線を用いた場合でも、前記電線固定片から前記ボルト挿通部までの距離は、前記ボルト挿通部に前記ボルトが通される位置に保たれるので、電線をサイドカバーの電線固定片にテープ巻き固定する作業を容易に行うことができ、かつ、共通のサイドカバー及び端子に対し、外径が異なる２種類の電線のうちいずれの電線を用いた場合でもボルト挿通部にボルトの軸部を通す作業を容易に行うことができる電気接続箱を提供することができる。
【図面の簡単な説明】
【００１７】
【図１】本発明の第１の実施形態にかかる電気接続箱の斜視図である。
【図２】図１に示されたサイドカバーを外した状態を示す斜視図である。
【図３】図１に示された電気接続箱の分解図である。
【図４】図３に示されたサイドカバー、端子及び電線を他の角度から見た斜視図である。
【図５】図４に示されたサイドカバーのみを示す斜視図である。
【図６】図４に示されたサイドカバー、端子及び電線を図４中の矢印Ｃ方向から見た底面図である。
【図７】図４に示された２本の電線を、大径の電線１本に変更した状態を示す斜視図である。
【図８】図４に示された２本の電線と電線固定片とボルト挿通部との位置関係を説明する説明図である。
【図９】図７に示された１本の電線と電線固定片とボルト挿通部との位置関係を説明する説明図である。
【図１０】本発明の第２の実施形態にかかる電気接続箱を構成する２本の電線と電線固定片とボルト挿通部との位置関係を説明する説明図である。
【図１１】図１０に示された２本の電線を大径の電線１本に変更した際の、１本の電線と電線固定片とボルト挿通部との位置関係を説明する説明図である。
【図１２】従来の電気接続箱を構成するサイドカバー、端子及び電線を示す斜視図である。
【図１３】図１２に示されたサイドカバー、端子及び電線を図１２中の矢印Ｄ方向から見た底面図である。
【図１４】図１２に示された２本の電線と電線固定片とボルト挿通部との位置関係を説明する説明図である。
【図１５】図１２に示された２本の電線を大径の電線１本に変更した際の、１本の電線と電線固定片とボルト挿通部との位置関係を説明する説明図である。
【発明を実施するための形態】
【００１８】
（第１の実施形態）
本発明の第１の実施形態にかかる「電気接続箱」を図１〜９を参照して説明する。本発明の電気接続箱は、自動車に搭載されて、前記自動車に搭載された電子機器に対して電力供給及び信号伝達を行うものである。
【００１９】
この電気接続箱１は、図１〜３に示すように、ケース本体２と、ケース本体２に組み付けられるカセットブロック６と、カセットブロック６に組み付けられるボルト３、バスバ９（図４のみに示す）等の複数の部品と、端子４と、端子４に接続された２本の電線１１（請求項の「第１の電線」に相当する。）と、端子４を取り付けた状態でケース本体２の一側面２ｃに装着されるサイドカバー５と、ケース本体２の上面２ａに装着されるアッパーカバー７と、ケース本体２の下面２ｂに装着されるロアカバー８と、を備えている。
【００２０】
上記ケース本体２は、合成樹脂で構成されており、上記一側面２ｃを含む外壁２１と、外壁２１の内側を仕切った隔壁２２と、を有している。外壁２１の一側面２ｃにおけるサイドカバー５が装着される部分には、切り欠き２３が設けられている。切り欠き２３の両側には、ロック２４が設けられている。また、本実施形態においては、ケース本体２とカセットブロック６が別体であるが、ケース本体２とカセットブロック６とは一体で形成されていても良い。
【００２１】
上記カセットブロック６は、合成樹脂で構成されており、ブロック状に形成されている。このカセットブロック６には、上記ボルト３、バスバ９、リレー、ヒューズ、コネクタ等の複数の部品が取り付けられる。
【００２２】
上記ボルト３は、図４に示すように、カセットブロック６に組み付けられる頭部３１と、軸部３２と、を有している。カセットブロック６がケース本体２に組み付けられることにより、軸部３２がケース本体２の上面２ａから立設する。このボルト３は、バスバ９と該バスバ９に重ねられる端子４とをナットとの間に挟んでバスバ９と端子４とが電気接続された状態を維持するためのものである。
【００２３】
上記端子４は、金属板にプレス加工等が施されることにより得られるものである。この端子４は、図４，６に示すように、一端部にボルト挿通部４１が設けられ、他端部に電線接続部４３が設けられ、中央部に直角に曲げられた屈曲部４２が設けられている。電線接続部４３は、屈曲部４２から延びた板部４４と、板部４４の両縁から立設した一対の芯線かしめ片４６と、板部４４の両縁から立設した一対の絶縁外皮かしめ片４５と、で構成されている。
【００２４】
上記電線１１は、バッテリ、オルタネータ等の電源から電気接続箱１のバスバ９に電力を供給する電線であり、複数の芯線とこれら芯線を被覆した絶縁外皮とを有する丸電線である。この電線１１は、導体断面積（各芯線の断面積の総和）が１５ｍｍ2である。また、本実施形態においては、同一構成の電線１１が２本用いられている。これら２本の電線１１は、上記板部４４の厚み方向に並べられた状態で１つの端子４に接続されている。すなわち、２本の電線１１は、一方の電線１１が板部４４に重ねられ、他方の電線１１が一方の電線１１に重ねられるとともに板部４４と非接触の状態で、一対の芯線かしめ片４６及び一対の絶縁外皮かしめ片４５にかしめられている。また、各電線１１の端部は、絶縁外皮が除去されて芯線が露出している。
【００２５】
上記サイドカバー５は、合成樹脂で構成されている。図４〜６に示すように、サイドカバー５には、上記切り欠き２３を塞ぐようにケース本体２の一側面２ｃに装着されてケース本体２の外壁２１を構成するカバー本体５０と、カバー本体５０の内面に連なり、内側に端子４を通して該端子４の屈曲部４２を支持するフック５１と、上記ロック２４に係止するロック５２と、電線１１に沿う電線固定片５３と、が設けられている。
【００２６】
上記電線固定片５３は、カバー本体５０の下端から延設されている。本発明における電線固定片５３の断面形状は、当該電線固定片５３の両端部５３ａを結ぶ直線に対してボルト挿通部４１と反対側に電線１１を収容する空間を有する形状であり、本実施形態では、電線固定片５３は、断面円弧状の樋状に形成されている。また、請求項の「電線を収容する空間を有する形状」とは、少なくとも１本の電線の一部を収容する空間を有する形状である。
【００２７】
このような電線固定片５３は、図４，８に示すように、板部４４から離れた側の電線１１の一部を前記空間に収容すると共に該電線１１の外周面に接する。また、２本の電線１１は、電線固定片５３と共にテープ巻きされて電線固定片５３に固定される。図４中の符号１３は前記テープである。また、図６においてはテープ１３の図示を省略している。
【００２８】
また、２本の電線１１を電線固定片５３にテープ巻き固定する際は、図８に示すように、電線固定片５３が板部４４から離れた側の電線１１の外周面の半周面に接するので、すなわち電線固定片５３が電線１１を包み込むので、該電線１１が安定してずれにくい。よって、テープ巻き固定を容易に行うことができる。
【００２９】
このサイドカバー５に端子４を取り付ける際は、予め２本の電線１１を電線接続部４３に接続しておき、一端部（ボルト挿通部４１が設けられた部分）をカバー本体５０と平行になるように立てた状態で、該一端部をフック５１の下方からフック５１内に通し、その状態から端子４を９０度回転させるようにして取り付ける。
【００３０】
この電気接続箱１においては、端子４を取り付けたサイドカバー５が図３中の矢印Ｂ方向にケース本体２の一側面２ｃに装着されることにより、端子４のボルト挿通部４１にボルト３の軸部３２が通される。また、電線固定片５３からボルト挿通部４１までの距離Ｅ１（図８に示す。）は、電線固定片５３からボルト３の軸部３２までの距離と一致している。このことから、サイドカバー５をケース本体２の一側面２ｃに装着する動作によってボルト３の軸部３２がボルト挿通部４１に通される。そして、軸部３２にナットが螺合されることにより、端子４がケース本体２に固定されるとともに端子４とバスバ９との接続状態が維持される。
【００３１】
また、電気接続箱１においては、上述した２本の電線１１の代わりに、図７に示す１本の電線１２（請求項の「第２の電線」に相当する。）を用いることができる。図７に示す端子４及びサイドカバー５は、図４に示したものと同一構成である。電線１２は、電線１１と同様に、バッテリ、オルタネータ等の電源から電気接続箱１のバスバ９に電力を供給する電線であり、複数の芯線とこれら芯線を被覆した絶縁外皮とを有する丸電線である。この電線１２は、導体断面積（各芯線の断面積の総和）が３０ｍｍ2である。すなわち、２本の電線１１を用いる場合は、各電線１１の導体断面積が１５ｍｍ2であるので、２本の電線１１の導体断面積の総和は３０ｍｍ2である。よって、１本で用いる電線１２は、その導体断面積が電線１１の導体断面積の２倍の３０ｍｍ2のものになる。
【００３２】
上記電線１２を用いる場合、電線固定片５３は、図７，９に示すように、電線１２の一部を前記空間に収容すると共にその両端部５３ａのみが電線１２の外周面に当たる。また、この電線１２は、電線固定片５３と共にテープ巻きされて電線固定片５３に固定される。
【００３３】
また、１本の電線１２を電線固定片５３にテープ巻き固定する際は、図９に示すように、電線固定片５３の両端部５３ａのみが電線１２の外周面に当たり、該電線１２の一部が電線固定片５３の前記空間に収容されているので、該電線１２が安定してずれにくい。よって、テープ巻き固定を容易に行うことができる。
【００３４】
このように、電線固定片５３は、導体断面積が１５ｍｍ2の電線１１を２本用いた場合、電線固定片５３が一方の電線１１の外周面に接し、導体断面積が３０ｍｍ2の電線１２を１本用いた場合、電線固定片５３の両端部５３ａのみが電線１２の外周面に当たるように曲率半径と中心角が決まっている。このため、共通のサイドカバー５及び端子４に対し外径が異なる２種類の電線１１，１２を用いることができ、いずれの電線を用いた場合でもテープ巻き固定を容易に行うことができる。また、電線固定片５３は、断面円弧状に形成されているので、平板状に形成されているものよりも強度が高い。
【００３５】
さらに、１本の電線１２を用いた場合も、電線固定片５３からボルト挿通部４１までの距離Ｅ２（図９に示す。）は、電線固定片５３からボルト３の軸部３２までの距離と一致している。このことから、１本の電線１２を用いた場合も、サイドカバー５をケース本体２の一側面２ｃに装着する動作によって自動的にボルト３の軸部３２がボルト挿通部４１に通される。
【００３６】
また、本発明においては、電線固定片５３からボルト挿通部４１までの距離が、電線固定片５３からボルト３の軸部３２までの距離と完全に一致していなくても良く、サイドカバー５をケース本体２の一側面２ｃに装着する動作によって自動的にボルト３の軸部３２がボルト挿通部４１に通される位置であれば若干の誤差があっても良い。
【００３７】
このように、電気接続箱１においては、２種類の電線１１，１２のうちいずれの電線を用いた場合でも、電線固定片５３からボルト挿通部４１までの距離がボルト挿通部４１にボルト３の軸部３２が通される位置に保たれるように、電線固定片５３が設計されているので、２種類の電線１１，１２のうちいずれの電線を用いた場合でも、ボルト挿通部４１にボルト３の軸部３２を通す作業を容易に行うことができる。
【００３８】
（第２の実施形態）
本発明の第２の実施形態にかかる「電気接続箱」を図１０，１１を参照して説明する。また、図１０，１１において、第１の実施形態と同一構成部分には同一符号を付して説明を省略する。
【００３９】
本実施形態の電気接続箱は、サイドカバーに、第１の実施形態で説明した電線固定片５３の代わりに図１０，１１に示す電線固定片１５３が設けられている。電線固定片１５３以外の構成は第１の実施形態と同一であるので説明を省略する。
【００４０】
図１０，１１に示すように、上記電線固定片１５３の断面形状は、当該電線固定片１５３の両端部１５３ａを結ぶ直線に対してボルト挿通部４１と反対側に電線１１，１２の少なくとも一部を収容する空間を有する形状であり、本実施形態では、電線固定片１５３は、断面コ字型の樋状に形成されている。
【００４１】
図１０に示すように、２本の電線１１を用いた場合、電線固定片１５３は、一方の電線１１の一部を前記空間に収容すると共に該電線１１の外周面に接する。また、電線固定片１５３からボルト挿通部４１までの距離Ｅ３は、電線固定片１５３からボルト３の軸部３２（図３，４を参照。）までの距離と一致している。
【００４２】
図１１に示すように、１本の電線１２を用いた場合、電線固定片１５３は、電線１２の一部を前記空間に収容すると共にその両端部１５３ａのみが電線１２の外周面に当たる。また、電線固定片１５３からボルト挿通部４１までの距離Ｅ４は、電線固定片１５３からボルト３の軸部３２（図３，４を参照。）までの距離と一致している。
【００４３】
このように、本実施形態の電気接続箱においては、第１の実施形態で説明した電気接続箱１と同様に、外径が異なる２種類の電線１１，１２のうちいずれの電線を用いた場合でも、電線をサイドカバーの電線固定片１５３にテープ巻き固定する作業を容易に行うことができ、かつ、共通のサイドカバー及び端子４に対し、ボルト挿通部４１にボルト３の軸部３２を通す作業を容易に行うことができる。
【００４４】
なお、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００４５】
１  電気接続箱
２  ケース本体
３  ボルト
４  端子
５  サイドカバー
１１  電線（第１の電線）
１２  電線（第２の電線）
４１  ボルト挿通部
４３  電線接続部
５３，１５３  電線固定片
【図１】
2014108040.tif 000003
【図２】
2014108040.tif 000004
【図３】
2014108040.tif 000005
【図４】
2014108040.tif 000006
【図５】
2014108040.tif 000007
【図６】
2014108040.tif 000008
【図７】
2014108040.tif 000009
【図８】
2014108040.tif 000010
【図９】
2014108040.tif 000011
【図１０】
2014108040.tif 000012
【図１１】
2014108040.tif 000013
【図１２】
2014108040.tif 000014
【図１３】
2014108040.tif 000015
【図１４】
2014108040.tif 000016
【図１５】
2014108040.tif 000017